(57)【要約】【課題】外周壁をリフォームすることを考慮した建物を提供する。【解決手段】耐力壁（例えば耐力壁３，４等）と耐力壁でない非耐力壁（例えば非耐力壁８，１５等とを含む外周壁１，２を有する建物において、非耐力壁が外周壁１，２から取り外し可能に設けられているので、将来的に、この非耐力壁を取り外して、この部分に新たに窓や戸を取り付けることができる。したがって、外周壁をリフォームすることを考慮した建物となる。【選択図】図３
2010216146.tif 000002
【特許請求の範囲】
【請求項１】
耐力壁と耐力壁でない非耐力壁とを含む外周壁を有する建物において、
前記非耐力壁が前記外周壁から取り外し可能に設けられていることを特徴とする建物。 
【請求項２】
請求項１に記載の建物において、
前記耐力壁が所定間隔をおいて隣り合って配置されており、
この隣り合って配置された耐力壁の上部間に、該二つの耐力壁の上部どうしを連結する構造材としての連結部材が設けられており、
この連結部材の下側に前記非耐力壁が設けられていることを特徴とする建物。 
【請求項３】
請求項２に記載の建物において、
前記非耐力壁の左右両側部のうち、一方の側部が一方の耐力壁に切り離し可能に接合されており、前記非耐力壁の他方の側部と他方の耐力壁との間が、窓や戸等の枠材を取り付けるための開口部となっていることを特徴とする建物。 
【請求項４】
請求項２に記載の建物において、
前記連結部材の下側に前記非耐力壁が２つ設けられており、
一方の非耐力壁が一方の耐力壁に接合され、他方の非耐力壁が他方の耐力壁に接合され、前記２つの非耐力壁間が、窓や戸等の枠材を取り付けるための開口部となっていることを特徴とする建物。
【請求項５】
請求項１〜４のいずれか一項に記載の建物において、
前記耐力壁は、構造用壁パネルによって構成されており、
前記非耐力壁は、前記構造用壁パネル以外の壁形成部材で構成されており、
この壁形成部材が前記構造用壁パネルに切り離し可能に接合されていることを特徴とする建物。 
【請求項６】
請求項４に記載の建物において、
前記壁形成部材は前記構造用壁パネルに、釘やボルト等の抜き出し可能な止着材のみによって連結されていることを特徴とする建物。
【発明の詳細な説明】
【技術分野】
【０００１】
本発明は、リフォームに対応した建物に関する。
【背景技術】
【０００２】
リフォームに対応した建物の一例として、特許文献１および特許文献２に記載のものが知られている。
特許文献１に記載の建物は、浴室、洗面室およびトイレが隣接して配置された水回り設備室を備え、かつ洗面室とトイレとの間に間仕切り壁が設けられた住宅であって、前記間仕切り壁が取り外し可能に設けられているものである。
このような建物では、建築当初においては水回り設備室におけるプライバシーの確保を維持できるようにすると共に、将来あるいはバリアフリーの必要性に応じて簡易に改造することがき、特に洗面室及びトイレを連続させて内部でも車椅子を自由に使用できる。
【０００３】
特許文献２に記載の建物は、浴室に隣接して配置された洗面所と、前記浴室及び洗面所のうちいずれかに隣接して配置された便所と、前記浴室、洗面所または便所に隣接して配置された将来的に寝室となる部屋とを備え、前記便所、洗面所、浴室及び部屋のうち少なくとも一つは、建物躯体を構成する構造壁と、取り外し可能あるいは移動して配置可能な間仕切り壁とにより囲まれているものである。
このような建物では、リフォーム時に前記間仕切りを取り外したり、移動して配置するだけで、建物躯体を構成する構造壁を変更する等の大がかりな作業を必要とせず、前記部屋、便所、洗面所及び浴室のうち少なくとも一つの領域を大きくしたり、その出入りを容易に行う構造とすることができる。
【先行技術文献】
【特許文献】
【０００４】
【特許文献１】特開２００２−２３５４４８号公報
【特許文献２】特開２００３−２６８９９０号公報
【発明の概要】
【発明が解決しようとする課題】
【０００５】
ところで、上記従来の建物は、建物の内部をリフォームすることを考慮したものであるが、建物の外周壁をリフォームすることは考慮されていない。
一方、建物の周囲の状況が変化した場合、この変化に応じて、外周壁に新たに窓や戸を設けたり、既存の窓等の開口部を大きくしたいという要望がある。
しかし、建物の外周壁は建物躯体を構成するものであり、耐力壁で構成されている部分が多いため、建物強度を所定の設計値に維持するために、耐力壁に開口部を形成したり、耐力壁に形成されている開口部を広げたりすることは困難である。
【０００６】
本発明は上記事情に鑑みてなされたもので、外周壁をリフォームすることを考慮した建物を提供することを課題としている。
【課題を解決するための手段】
【０００７】
上記課題を解決するために、請求項１に記載の発明は、例えば図１〜図６に示すように、耐力壁（例えば耐力壁３，４等）と耐力壁でない非耐力壁（例えば非耐力壁８，１５等とを含む外周壁１，２を有する建物において、
前記非耐力壁が前記外周壁１，２から取り外し可能に設けられていることを特徴とする。
【０００８】
請求項１に記載の発明によれば、建物の外周壁１，２が耐力壁と非耐力壁を含んでおり、この非耐力壁が取り外し可能であるので、将来的に、この非耐力壁を取り外して、この部分に新たに窓や戸を取り付けることができる。
したがって、外周壁をリフォームすることを考慮した建物となる。
【０００９】
請求項２に記載の発明は、請求項１に記載の建物において、
前記耐力壁（例えば耐力壁３，３等）が所定間隔をおいて隣り合って配置されており、
この隣り合って配置された耐力壁の上部間に、該二つの耐力壁の上部どうしを連結する構造材としての連結部材（例えば連結部材６等）が設けられており、
この連結部材の下側に前記非耐力壁（例えば非耐力壁８等）が設けられていることを特徴とする。
【００１０】
請求項２に記載の発明によれば、所定間隔をおいて隣り合う耐力壁（例えば耐力壁３，３等）の上部間に、該二つの耐力壁の上部どうしを連結する構造材としての連結部材（例えば連結部材６等）が設けられているので、これら耐力壁と連結部材とによって、上部の床や屋根等を確実に支持できる。
また、連結部材の下側に非耐力壁（例えば非耐力壁８等）が設けられているので、この非耐力壁には、上部の床や屋根等から直接荷重が作用しないので、該非耐力壁を容易に取り外すことができる。
【００１１】
請求項３に記載の発明は、例えば図４に示すように、請求項２に記載の建物において、
前記非耐力壁２３の左右両側部のうち、一方の側部が一方の耐力壁１３に切り離し可能に接合されており、前記非耐力壁２３の他方の側部と他方の耐力壁３との間が、窓や戸等の枠材を取り付けるための開口部２４となっていることを特徴とする。
【００１２】
請求項３に記載の発明によれば、非耐力壁２３の他方の側部と他方の耐力壁３との間が、窓や戸等の枠材を取り付けるための開口部２４となっているので、非耐力壁２３を取り外すことによって、開口部２４を広げて大きな開口部を形成できる。したがって、この大きな開口部に大きな窓や戸等の枠材を取り付けることができる。
【００１３】
請求項４に記載の発明は、例えば図４に示すように、請求項２に記載の建物において、
前記連結部材１６の下側に前記非耐力壁２３，２３が２つ設けられており、
一方の非耐力壁２３が一方の耐力壁３に接合され、他方の非耐力壁２３が他方の耐力壁３に接合され、前記２つの非耐力壁２３，２３間が、窓や戸等の枠材を取り付けるための開口部２７となっていることを特徴とする。
【００１４】
請求項４に記載の発明によれば、２つの非耐力壁２３，２３間が、窓や戸等の枠材を取り付けるための開口部２７となっているので、非耐力壁２３，２３を取り外すことによって、開口部２７を広げて大きな開口部を形成できる。したがって、この大きな開口部に大きな窓や戸等の枠材を取り付けることができる。
【００１５】
請求項５に記載の発明は、例えば図３および図６に示すように、請求項１〜４のいずれか一項に記載の建物において、
前記耐力壁３は、構造用壁パネル５によって構成されており、
前記非耐力壁８は、前記構造用壁パネル以外の壁形成部材（例えば片面壁パネル８a，８ｂ）で構成されており、
この壁形成部材が前記構造用壁パネル５に切り離し可能に接合されていることを特徴とする。
【００１６】
請求項４に記載の発明によれば、非耐力壁８を構成する壁形成部材（例えば片面壁パネル８a，８ｂ）が耐力壁３を構成する構造用壁パネル５に切り離し可能に接合されているので、壁形成部材を構造用壁パネルから切り離すことによって、非耐力壁８を外周壁１から容易に取り外すことができる。
【００１７】
請求項５に記載の発明は、請求項５に記載の建物において、
前記壁形成部材（例えば片面壁パネル８a，８ｂ）は前記構造用壁パネル５に、釘やボルト等の抜き出し可能な止着材のみによって連結されていることを特徴とする。
【００１８】
請求項５に記載の発明によれば、釘やボルト等の止着材を抜き出すことによって、壁形成部材を構造用壁パネルから容易に切り離すことができ、その結果、非耐力壁を外周壁から容易に取り外すことができる。
【発明の効果】
【００１９】
本発明によれば、建物の外周壁が耐力壁と非耐力壁を含んでおり、この非耐力壁が外周壁から取り外し可能であるので、将来的に、この非耐力壁を取り外して、この部分に新たに窓や戸を取り付けることができる。したがって、外周壁をリフォームすることを考慮した建物となる。
【図面の簡単な説明】
【００２０】
【図１】本発明に係る建物の一例を示すもので、１階の平面図である。
【図２】同、２階の平面図である。
【図３】同、建物の東側の外周壁の正面図である。
【図４】同、建物の西側の外周壁の正面図である。
【図５】同、建物の北側の外周壁の正面図である。
【図６】同、構造用壁パネルの一例を示す斜視図である。
【発明を実施するための形態】
【００２１】
以下図面を参照して本発明の実施の形態について説明する。
図１は本発明に係る建物の一例を示す１階の平面図、図２は同２階の平面図、図３は建物の東側の外周壁の正面図、図４は建物の西側の外周壁の正面図、図５は建物の北側の外周壁の正面図である。
建物の１階の外周壁１および２階の外周壁２は、それぞれ耐力壁と非耐力壁とを含んで構成されており、非耐力壁は外周壁１，２から取り外し可能に設けられている。
また、前記外周壁１，２の出隅および入隅部分においては、全て耐力壁が配置されている。
【００２２】
（１階東側の外周壁について）
１階の東側の外周壁１は、図１および図３に示すように、３枚の耐力壁３・・・と、１枚の耐力壁４とを有している。耐力壁３，４はそれぞれ木質の構造用壁パネルによって構成されている。
構造用壁パネル５は、図６に示すように、框材５ａを矩形枠状に組み立てることによって矩形枠を形成し、この矩形枠内に、補強桟材５ｂを縦横に組み付け、さらに、矩形枠の両面に合板等からなる面材５ｃ，５ｃを取り付けてなるものである。
なお、構造用壁パネルは、その左右の幅の違いによって複数種類あり、左右の幅の大きさによって、横方向の框材５ａの長さ、横方向の補強桟材５ｂの長さ、縦方向の補強桟材５ｂの本数等が異なるものである。
【００２３】
そして、３枚の耐力壁３と１枚の耐力壁４とは、所定間隔をおいて１階の床上に設置されたうえで、この床に接合されている。
この接合は、基礎から上方に延出して床を貫通するアンカーボルトの上端部に耐力壁３，４を連結するとともに、耐力壁３，４を構成する面材から框材を通して床にスクリュー釘を打ち込むとともに、耐力壁３，４の下端面を床の上面に接着剤によって接着することによって行われている。
また、耐力壁３，４の上端面は２階の床に接合されている。この接合は、２階の床を貫通する胴差ボルトの下端部に耐力壁３，４を連結するとともに、耐力壁３，４を構成する面材から框材を通して２階の床にスクリュー釘を打ち込むとともに、耐力壁３，４の上端面を２階の床の下面に接着剤によって接着することによって行われている。
なお、前記胴差ボルトの上端部は後述する２階の耐力壁に連結されている。
【００２４】
所定間隔をおいて隣り合う耐力壁３，３の上部間には、該二つの耐力壁３，３の上部どうしを連結する構造材としての連結部材６が設けられている。この連結部材６は、前記構造用壁パネル５と同様の構成の壁パネルで構成されているが、上下の幅が短いため、横方向の補強桟材が省略されている。耐力壁３と連結部材６とは、耐力壁３の側端面と連結部材６の端面との接着剤による接着と、釘打ちによって接合されている。なお、釘打ちは、耐力壁３を構成する構造用壁パネルの面材から框材を通して連結部材６を構成する壁パネルの框材にスクリュー釘を打ち込むことともに、前記壁パネルの面材から框材を通して構造用壁パネルの框材にスクリュー釘を打ち込むことによって行われている。
また、連結部材６は２階の床にも接合されている。この接合は、連結部材（壁パネル）６を構成する面材から框材を通して床にスクリュー釘を打ち込むとともに、連結部材（壁パネル）６の上端面を２階の床の下面に接着剤によって接着することによって行われている。
【００２５】
前記連結部材６の下側に非耐力壁８が取り外し可能に設けられている。すなわち、左右の耐力壁３，３と連結部材６と１階の床とで囲まれた矩形状の空間に、この空間の正面形状と同形状の非耐力壁８が取り外し可能にはめ込まれている。
この非耐力壁８は片面壁パネル（壁形成部材）８ａ，８ａ，８ｂを並設して接合することによって構成されている。片面壁パネル８ａ，８ｂは、框材を矩形枠状に組み立てるとともに、この矩形枠の一方の表面に合板等からなる面材を取り付けてなるものである。これら片面壁パネル８ａ，８ａ，８ｂはその面材を建物の外側に向けて、前記矩形状の空間に取り外し可能にはめ込まれている。
これら片面壁パネル８ａ，８ａどうし、片面壁パネル８ａ，８ｂどうしは、互いに当接する一方の縦框材から他方の縦框材に釘やボルト等の止着材を打ち込みあるいは、ねじ込むことによって接合されている。したがって、該止着材を引き抜くことによって、片面壁パネル８ａ，８ａどうし、片面壁パネル８ａ，８ｂどうしは切り離すことができるようになっている。
【００２６】
また、非耐力壁８と耐力壁３とは、非耐力壁８を構成する片面壁パネル８ａ，８ｂの縦框材から、耐力壁３を構成する構造用壁パネルの縦框材に、釘やボルトに止着材を打ち込みあるいは、ねじ込むことによって切り離し可能に接合されている。
また、非耐力壁８と連結部材６とは、非耐力壁８を構成する片面壁パネル８ａ，８ｂの上の横框材から、連結部材（壁パネル）６を構成する下の横框材に、釘やボルトに止着材を打ち込みあるいは、ねじ込むことによって切り離し可能に接合されている。
さらに、非耐力壁８と床とは、非耐力壁８を構成する片面壁パネル８ａ，８ｂの下の横框材から、床を構成する床パネルあるいは土台に、釘やボルトに止着材を打ち込みあるいは、ねじ込むことによって切り離し可能に接合されている。
したがって、前記全ての止着材を引き抜くことによって、非耐力壁８は、左右の耐力壁３，３、連結部材６、床から切り離すことができるようになっている。これによって、非耐力壁８が外周壁１から取り外し可能に設けられている。
このような、止着材の打ち込み、ねじ込み、引き抜きは、片面壁パネル８ａ，８ｂの面材が設けられていない裏側から容易に行うことができる。
【００２７】
また、所定間隔をおいて隣り合う耐力壁３，４の上部間には、該二つの耐力壁３，４の上部どうしを連結する構造材としての連結部材９が設けられており、下部間には、二つの耐力壁３，４の下部どうしを連結する構造材としての連結部材１０が設けられている。
これら連結部材９，１０は前記連結部材６を構成する壁パネルと同様の壁パネルによって構成されている。
耐力壁３，４と連結部材９，１０とは、耐力壁３，４の側端面と連結部材９，１０の端面との接着剤による接着と釘打ちによって接合されている。なお、釘打ちは、耐力壁３，４を構成する構造用壁パネルの面材から框材を通して連結部材９，１０を構成する壁パネルの框材にスクリュー釘を打ち込むことともに、前記壁パネルの面材から框材を通して構造用壁パネルの框材にスクリュー釘を打ち込むことによって行われている。
【００２８】
また、連結部材９は前記連結部材６と同様にして、２階の床に接合されている。
さらに、連結部材１０は、この連結部材（壁パネル）１０を構成する面材から框材を通して１階の床にスクリュー釘を打ち込むとともに、連結部材（壁パネル）１０の下端面を１階の床の上面に接着剤によって接着することによって、１階の床に接合されている。
前記耐力壁３，４と上下の連結部材９，１０によって囲まれた開口部１１には、窓の枠材が取り付けられるようになっている。
【００２９】
また、図３において１階の最も右側に位置する耐力壁３と、その左側に所定間隔おいて配置された前記耐力壁４の上部間には、該二つの耐力壁３，４の上部どうしを連結する構造材としての連結部材９が設けられている。この連結部材９は前記連結部材９と同様にして、耐力壁３，４、２階の床に接合されている。
前記耐力壁３，４と連結部材９と１階の床とによって囲まれた開口部１２には、戸の枠材が取り付けられるようになっている。
【００３０】
（２階東側の外周壁について）
２階の東側の外周壁２は、図２および図３に示すように、２枚の耐力壁３，３と、１枚の耐力壁４と、１枚の耐力壁１３を有している。耐力壁１３は前記耐力壁３と同様の構成となっているが、左右の幅が短いので縦補強桟材は省略されている。
そして、２枚の耐力壁３，３と、１枚の耐力壁４と、１枚の耐力壁１３は、所定間隔をおいて２階の床上に設置されたうえで、この床に接合されている。この接合は、２階の床を貫通して上方に延出する前記胴差ボルトの下端部に耐力壁３，４，１３を連結するとともに、耐力壁３，４，１３を構成する面材から框材を通して２階の床にスクリュー釘を打ち込むとともに、耐力壁３，４，１３の下端面を２階の床の上面に接着剤によって接着することによって行われている。
また、耐力壁３，４，１３の上端面は屋根パネルを支持する桁材に接合されている。この接合は、耐力壁３，４，１３の上端面を前記桁材の下面に接着剤によって接着することによって行われている。なお、屋根パネルの上面から屋根結合金物が屋根パネルを貫通して打ち込まれ、この屋根結合金物が前記耐力壁３，３，４，１３に結合されている。
【００３１】
所定間隔をおいて隣り合う耐力壁３，３の上部間には、該二つの耐力壁３，３の上部どうしを連結する構造材としての連結部材６が設けられ、下部間には、該二つの耐力壁３，３の下部どうしを連結する構造材としての連結部材１４が設けられている。
連結部材６は、１階の連結部材６と同様にして左右の耐力壁３，３に接合されており、また、連結部材（壁パネル）６を構成する面材から框材を通して前記桁材にスクリュー釘を打ち込むとともに、連結部材（壁パネル）６の上端面を桁材の下面に接着剤によって接着することによって、桁材に接合されている。
また、連結部材１４は、壁パネルによって構成されたものであり、この連結部材（壁パネル）１４を構成する面材から框材を通して２階の床にスクリュー釘を打ち込むとともに、連結部材（壁パネル）１４の下端面を２階の床の上面に接着剤によって接着することによって、２階の床に接合されている。
【００３２】
前記連結部材６の下側に非耐力壁１５が取り外し可能に設けられている。すなわち、左右の耐力壁３，３と上下の連結部材６，１４とで囲まれた矩形状の空間に、この空間の正面形状と同形状の非耐力壁１５が取り外し可能にはめ込まれている。
この非耐力壁１５は、前記非耐力壁８と同様に、片面壁パネル（壁形成部材）１５ａ，１５ａ，１５ｂを並設して接合することによって構成されている。
これら片面壁パネル１５ａ，１５ａどうし、片面壁パネル１５ａ，１５ｂどうしは、互いに当接する一方の縦框材から他方の縦框材に釘やボルト等の止着材を打ち込みあるいは、ねじ込むことによって接合されている。したがって、該止着材を引き抜くことによって、片面壁パネル１５ａ，１５ａどうし、片面壁パネル１５ａ，１５ｂどうしは切り離すことができるようになっている。
【００３３】
また、非耐力壁１５と耐力壁３とは、非耐力壁１５を構成する片面壁パネル１５ａ，１５ｂの縦框材から、耐力壁３を構成する構造用壁パネルの縦框材に、釘やボルトに止着材を打ち込みあるいは、ねじ込むことによって切り離し可能に接合されている。
また、非耐力壁１５と連結部材６とは、非耐力壁１５を構成する片面壁パネル１５ａ，１５ｂの上の横框材から、連結部材（壁パネル）６を構成する下の横框材に、釘やボルトに止着材を打ち込みあるいは、ねじ込むことによって切り離し可能に接合されている。
さらに、非耐力壁１５と連結部材１４とは、非耐力壁１５を構成する片面壁パネル１５ａ，１５ｂの下の横框材から、連結部材（壁パネル）１４を構成する上の横框材に、釘やボルトに止着材を打ち込みあるいは、ねじ込むことによって切り離し可能に接合されている。
したがって、前記全ての止着材を引き抜くことによって、非耐力壁１５は、左右の耐力壁３，３、上下の連結部材６，１４から切り離すことができるようになっている。これによって、非耐力壁１５が外周壁２から取り外し可能に設けられている。
このような、止着材の打ち込み、ねじ込み、引き抜きは、片面壁パネル１５ａ，１５ｂの面材が設けられていない裏側から容易に行うことができる。
【００３４】
また、所定間隔をおいて隣り合う耐力壁３，４の上部間には、該二つの耐力壁３，４の上部どうしを連結する構造材としての連結部材１６が設けられており、下部間には、二つの耐力壁３，４の下部どうしを連結する構造材としての連結部材１７が設けられている。
これら連結部材１６，１７は前記連結部材６を構成する壁パネルと同様の壁パネルによって構成されている。
また、前記連結部材１６，１７は、前記連結部材６，１４と同様にして、左右の耐力壁３，４、前記桁材、２階の床に接合されている。
前記耐力壁３，４と上下の連結部材１６，１７によって囲まれた開口部１８には、窓の枠材が取り付けられるようになっている。
【００３５】
また、図３において２階の最も右側に位置する耐力壁１３と、その左側に所定間隔おいて配置された前記耐力壁４の上部間には、該二つの耐力壁１３，４の上部どうしを連結する構造材としての連結部材１９が設けられ、下部間には、該二つの耐力壁１３，４の下部どうしを連結する構造材としての連結部材２０が設けられている。
前記連結部材１９，２０は左右の幅が短いので、前記連結部材６等とは異なり、角材や合板等によって構成されている。
これら連結部材１９，２０は接着や釘打ちによって左右の耐力壁４，１３、前記桁材、２階の床に接合されている。
【００３６】
前記連結部材１９の下側に非耐力壁２１が取り外し可能に設けられている。すなわち、左右の耐力壁４，１３と上下の連結部材１９，２０で囲まれた矩形状の空間に、この空間の正面形状と同形状の非耐力壁２１が取り外し可能にはめ込まれている。
この非耐力壁２１は、前記片面壁パネル８ｂと同様の片面壁パネルによって構成されている。
また、非耐力壁２１と耐力壁４，１３とは、非耐力壁２１の縦框材から、耐力壁４，１３を構成する構造用壁パネルの縦框材に、釘やボルトに止着材を打ち込みあるいは、ねじ込むことによって切り離し可能に接合されている。
また、非耐力壁２１と連結部材１９，２０とは、非耐力壁２１の上下の横框材から、連結部材１９，２０に、釘やボルトに止着材を打ち込みあるいは、ねじ込むことによって切り離し可能に接合されている。
したがって、前記全ての止着材を引き抜くことによって、非耐力壁２１は、左右の耐力壁４，１３、上下の連結部材１９，２０から切り離すことができるようになっている。これによって、非耐力壁２１が外周壁２から取り外し可能に設けられている。
このような、止着材の打ち込み、ねじ込み、引き抜きは、非耐力壁（片面壁パネル）２１の面材が設けられていない裏側から容易に行うことができる。
【００３７】
なお、前記非耐力壁２１を片面壁パネル２１に代えて、合板によって構成してもよい。この場合、左右の耐力壁４，１３と上下の連結部材１９，２０で囲まれた矩形状の空間に、この空間の正面形状と同形状の合板を、その表面が耐力壁４，１３の表面と面一になるようにしてはめ込み、この合板から左右の耐力壁４，１３、上下の連結部材１９，２１に釘を斜め打ちすればよい。この場合、釘の頭を合板の表面から若干出しておけば、この具釘の引き抜きが容易となり、これによって合板は、左右の耐力壁４，１３、上下の連結部材１９，２０から切り離すことができるので、合板が外周壁２から取り外し可能となる。
【００３８】
（１階西側の外周壁について）
１階の西側の外周壁１は、図１および図４に示すように、１枚の耐力壁２２と、１枚の耐力壁１３と、２枚の耐力壁３，３とを有している。耐力壁２２は前記耐力壁４等と同様の構成となっている。
そして、前記耐力壁２２，１３，３，３は、所定間隔をおいて１階の床に設置されるとともに、１階の床と２階の床とに、図３に示す１階の耐力壁３，４等と同様にして接合されている。
【００３９】
所定間隔をおいて隣り合う耐力壁１３，３の上部間には、該二つの耐力壁１３，３の上部どうしを連結する構造材としての連結部材１６が設けられている。
連結部材１６は、図３に示す１階の連結部材６と同様にして左右の耐力壁１３，３および２階の床に接合されている。
連結部材１６の下側に非耐力壁２３が取り外し可能に設けられている。すなわち、左右の耐力壁１３，３と連結部材１６と１階の床とで囲まれた矩形状の空間に、この空間より小さい矩形状の非耐力壁２３が耐力壁１３に当接させて取り外し可能にはめ込まれている。
この非耐力壁２３は上下の長さが前記空間の上下の長さと等しく、左右の幅が前記空間の左右の幅の１／４程度のものであり、前記片面壁パネル８ｂと同様の片面壁パネル２３によって構成されている。
【００４０】
また、非耐力壁２３の一方の側部が一方の耐力壁１３に切り離し可能に接合されている。すなわち、非耐力壁２３と耐力壁１３とは、非耐力壁２３の縦框材から、耐力壁１３を構成する構造用壁パネルの縦框材に、釘やボルトに止着材を打ち込みあるいは、ねじ込むことによって切り離し可能に接合されている。
また、非耐力壁２３と連結部材１６および１階の床とは、非耐力壁２３の上下の横框材から、連結部材１６および床に、釘やボルトに止着材を打ち込みあるいは、ねじ込むことによって切り離し可能に接合されている。
したがって、前記全ての止着材を引き抜くことによって、非耐力壁２３は、耐力壁１３、連結部材１６、床から切り離すことができるようになっている。これによって、非耐力壁２３が外周壁１から取り外し可能に設けられている。
このような、止着材の打ち込み、ねじ込み、引き抜きは、非耐力壁（片面壁パネル）２３の面材が設けられていない裏側から容易に行うことができる。
また、前記非耐力壁２３の他方の側部と他方の耐力壁３との間が、窓や戸等の枠材を取り付けるための開口部２４となっている。すなわち、前記非耐力壁２３、耐力壁３、連結部材１６、１階の床によって囲まれた開口部２４には、玄関戸の枠材が取り付けられるようになっている。
【００４１】
また、所定間隔をおいて隣り合う耐力壁３，３の上部間には、該二つの耐力壁３，３の上部どうしを連結する構造材としての連結部材９が設けられ、下部間には、該二つの耐力壁３，３の下部どうしを連結する構造材としての連結部材１０が設けられている。
連結部材９，１０は、図３に示す１階の連結部材９，１０と同様にして左右の耐力壁３，３、２階の床、１階の床に接合されている。
前記連結部材９の下側に非耐力壁２５が取り外し可能に設けられている。すなわち、左右の耐力壁３，３と上下の連結部材９，１０で囲まれた矩形状の空間に、この空間の正面形状と同形状の非耐力壁２５が取り外し可能にはめ込まれている。
この非耐力壁２５は、前記片面壁パネル１５ａと同様の片面壁パネル２５によって構成されている。
また、非耐力壁２５と耐力壁３，３とは、非耐力壁２５の縦框材から、耐力壁３，３を構成する構造用壁パネルの縦框材に、釘やボルトに止着材を打ち込みあるいは、ねじ込むことによって切り離し可能に接合されている。
また、非耐力壁２５と連結部材９，１０とは、非耐力壁２５の上下の横框材から、連結部材９，１０に、釘やボルトに止着材を打ち込みあるいは、ねじ込むことによって切り離し可能に接合されている。
したがって、前記全ての止着材を引き抜くことによって、非耐力壁２５は、左右の耐力壁３，３、上下の連結部材９，１０から切り離すことができるようになっている。これによって、非耐力壁２５が外周壁１から取り外し可能に設けられている。
このような、止着材の打ち込み、ねじ込み、引き抜きは、非耐力壁（片面壁パネル）２５の面材が設けられていない裏側から容易に行うことができる。
【００４２】
また、所定間隔をおいて隣り合う耐力壁２２，１３の上部間には、該二つの耐力壁２２，１３の上部どうしを連結する構造材としての連結部材１９が設けられており、下部間には、二つの耐力壁２２，１３の下部どうしを連結する構造材としての連結部材２０が設けられている。
前記連結部材１９，２０は、第３図に示す２階の連結部材１９，２０と同様にして、耐力壁２２，１３、２階の床、１階の床に接合されている。
前記耐力壁２２，１３と上下の連結部材１９，２０によって囲まれた開口部２６には、窓の枠材が取り付けられるようになっている。
【００４３】
（２階西側の外周壁について）
２階の西側の外周壁２は、図２および図４に示すように、４枚の耐力壁３・・・を有している。
４枚の耐力壁３・・・は、所定間隔をおいて２階の床に設置されるとともに、２階の床と桁材とに、図３に示す２階の耐力壁３等と同様にして接合されている。
また、２階の外周壁２の左右両側において、それぞれ所定間隔をおいて隣り合う耐力壁３，３の上部間には、該二つの耐力壁３，３の上部どうしを連結する構造材としての連結部材９が設けられ、下部間には、該二つの耐力壁３，３の下部どうしを連結する構造材としての連結部材１０が設けられている。
連結部材９，１０は、１階の連結部材９，１０と同様にして左右の耐力壁３，３、桁材、２階の床に接合されている。
【００４４】
連結部材９の下側に非耐力壁２５が取り外し可能に設けられている。すなわち、左右の耐力壁３，３と上下の連結部材９，１０で囲まれた矩形状の空間に、この空間の正面形状と同形状の非耐力壁２５が、１階の非耐力壁２５と同様にして、取り外し可能にはめ込まれている。
【００４５】
また、２階の外周壁２の中央部において、それぞれ所定間隔をおいて隣り合う耐力壁３，３の上部間には、該二つの耐力壁３，３の上部どうしを連結する構造材としての連結部材１６が設けられている。
連結部材１６は、１階の連結部材１６と同様にして左右の耐力壁３，３、桁材に接合されている。
【００４６】
連結部材１６の下側に２枚の非耐力壁２３，２３が取り外し可能に設けられており、一方の非耐力壁２３が一方の耐力壁３に接合され、他方の非耐力壁２３が他方の耐力壁３に切り離し可能に接合されている。すなわち、左右の耐力壁３，３と連結部材１６と２階の床とで囲まれた矩形状の空間に、この空間より小さい矩形状の非耐力壁２３，２３が左右の耐力壁３，３に当接させて取り外し可能にはめ込まれている。
この非耐力壁２３，２３は、１階の非耐力壁２３と同様にして、耐力壁３，３、連結部材１６、２階の床に切り離し可能に接合されている。これによって、非耐力壁２３，２３が取り外し可能に設けられている。
前記２つの非耐力壁２３，２３間が、窓や戸等の枠材を取り付けるための開口部２７となっている。すなわち、非耐力壁２３，２３、連結部材１６、２階の床によって囲まれた開口部２７には、バルコニーに出入りするための戸の枠材が取り付けられるようになっている。
【００４７】
（１階北側の外周壁について）
１階の北側の外周壁１は、図１および図５に示すように、２枚の耐力壁３，３と、１枚の耐力壁４と、２枚の耐力壁３０，３１を有している。
前記耐力壁３，３，４は、所定間隔をおいて１階の床に設置されるとともに、１階の床と２階の床とに、図３に示す１階の耐力壁３，４等と同様にして接合されている。
また、前記耐力壁３０は、図１に示すように、外周壁１と直交して配置されたものであり、その一端部が外側に露出して外周壁１の一部を構成している。前記耐力壁３１は、西側１階の耐力壁２２の端部であり、外周壁１の一部を構成している。
【００４８】
所定間隔をおいて隣り合う耐力壁３，３の上部間には、該二つの耐力壁３，３の上部どうしを連結する構造材としての連結部材１６が設けられ、下部間には、該二つの耐力壁３，３の下部どうしを連結する構造材としての連結部材１７が設けられている。
連結部材１６，１７は、図３に示す２階の連結部材１６，１７と同様にして、左右の耐力壁３，４、２階の床、１階の床に接合されている。
【００４９】
前記連結部材１６の下側に非耐力壁３２が取り外し可能に設けられている。すなわち、左右の耐力壁３，３と上下の連結部材１６，１７とで囲まれた矩形状の空間に、この空間の正面形状と同形状の非耐力壁３２が取り外し可能にはめ込まれている。
この非耐力壁３２は、図３に示す２階の耐力壁１５を構成する片面壁パネル１５ａと同様の片面壁パネル１５ａ，１５ａを同様にして２枚接合することによって構成されている。
また、非耐力壁３２は、図３に示す２階の非耐力壁１５と同様にして、耐力壁３，３、上下の連結部材１６，１７に切り離し可能に接合されている。これによって、非耐力壁３２が外周壁１から取り外し可能に設けられている。
【００５０】
また、所定間隔をおいて隣り合う耐力壁３，４の上部間には、該二つの耐力壁３，４の上部どうしを連結する構造材としての連結部材１９が設けられており、下部間には、二つの耐力壁３，４の下部どうしを連結する構造材としての連結部材２０が設けられている。
前記連結部材１９，２０は、第４図に示す１階の連結部材１９，２０と同様にして、耐力壁３，４、２階の床、１階の床に接合されている。
前記耐力壁３，４と上下の連結部材１９，２０によって囲まれた開口部３３には、窓の枠材が取り付けられるようになっている。
【００５１】
また、所定間隔をおいて隣り合う耐力壁４，３０の上部間には、該二つの耐力壁４，３０の上部どうしを連結する構造材としての連結部材９が設けられ、下部間には二つの耐力壁４，３０の下部どうしを連結する構造材としての連結部材１０が設けられている。
連結部材９，１０は、図４に示す１階の連結部材９，１０と同様にして、左右の耐力壁４，３０、２階の床、１階の床に接合されている。
連結部材９の下側に非耐力壁３４が取り外し可能に設けられている。すなわち、左右の耐力壁４，３０と上下の連結部材９，１０とで囲まれた矩形状の空間に、この空間より小さい矩形状の非耐力壁３４が耐力壁４に当接させて取り外し可能にはめ込まれている。
【００５２】
前記非耐力壁３４は、図３の２階の非耐力壁１５を構成する片面壁パネル１５ｂと同様の構成のものであり、同様にして、耐力壁４、上下の連結部材９，１０に切り離し可能に接合されている。これによって、非耐力壁３４が外周壁１から取り外し可能に設けられている。
また、前記非耐力壁３４と上下の連結部材９，１０と、耐力壁３０とによって囲まれた開口部３５には、窓の枠材が取り付けられるようになっている。
【００５３】
また、所定間隔をおいて隣り合う耐力壁３０，３１の上部間には、該二つの耐力壁３０，３１の上部どうしを連結する構造材としての連結部材１６が設けられ、下部間には二つの耐力壁３０，３１の下部どうしを連結する構造材としての連結部材１７が設けられている。
連結部材１６，１７は、図３に示す２階の連結部材１６，１７と同様にして、左右の耐力壁３０，３１、２階の床、１階の床に接合されている。
連結部材１６の下側に２枚の非耐力壁３４，３４が取り外し可能に設けられている。すなわち、左右の耐力壁３０，３１と上下の連結部材１６，１７とで囲まれた矩形状の空間に、この空間より小さい矩形状の非耐力壁３４，３４が左右の耐力壁３０，３１に当接させて取り外し可能にはめ込まれている。
この非耐力壁３４，３４は、前記耐力壁４に接合された非耐力壁４と同様にして、耐力壁３０，３１、連結部材１６，１７に切り離し可能に接合されている。これによって、非耐力壁３４，３４が外周壁１から取り外し可能に設けられている。
前記非耐力壁３４，３４、連結部材１６，１７によって囲まれた開口部３６には、窓の枠材が取り付けられるようになっている。
【００５４】
（２階北側の外周壁について）
２階の北側の外周壁２は、図２および図５に示すように、３枚の耐力壁３・・・と、１枚の耐力壁２２を有している。
３枚の耐力壁３・・・および耐力壁２２は、所定間隔をおいて２階の床に設置されるとともに、２階の床と桁材とに、図３に示す１階の耐力壁３等と同様にして接合されている。
また、所定間隔をおいて隣り合う耐力壁３，３の上部間および所定間隔をおいて隣り合う耐力壁３，２２間には、該二つの耐力壁３，３の上部どうしおよび二つの耐力壁３，２２の上部どうしをそれぞれ連結する構造材としての連結部材９が設けられ、下部間には、該二つの耐力壁３，３の下部どうしおよび二つの耐力壁３，２２の下部どうしを連結する構造材としての連結部材１０が設けられている。
連結部材９，１０は、１階の連結部材９，１０と同様にして、左右の耐力壁３，３、４、桁材、２階の床に接合されている。
前記耐力壁３，３、連結部材９，１０によって囲まれた開口部３７および耐力壁３，２２、連結部材９，１０によって囲まれた開口部３８には、それぞれ窓の枠材が取り付けられるようになっている。
【００５５】
所定間隔をおいて隣り合う耐力壁２２，３の上部間には、該二つの耐力壁３，３の上部どうしを連結する構造材としての連結部材１６が設けられ、下部間には、該二つの耐力壁３，３の下部どうしを連結する構造材としての連結部材１７が設けられている。
連結部材１６，１７は、１階の連結部材１６，１７と同様にして、左右の耐力壁２２，３、桁材、２階の床に接合されている。
【００５６】
前記連結部材１６の下側に非耐力壁３２が取り外し可能に設けられている。すなわち、左右の耐力壁２２，３と上下の連結部材１６，１７とで囲まれた矩形状の空間に、この空間の正面形状と同形状の非耐力壁３２が取り外し可能にはめ込まれている。
また、非耐力壁３２は、図３に示す２階の非耐力壁１５と同様にして、耐力壁２２，３、上下の連結部材１６，１７に切り離し可能に接合されている。これによって、非耐力壁３２が外周壁２から取り外し可能に設けられている。
【００５７】
本実施の形態によれば、建物の外周壁１，２が耐力壁３，４，１３，２２，３０，３１と非耐力壁８，１５，２１，２３，２５，３２，３４を含んでおり、この非耐力壁が取り外し可能であるので、将来的に、この非耐力壁８，１５，２１，２３，２５，３２，３４を取り外して、この部分に新たに窓や戸を取り付けることができる。
したがって、外周壁をリフォームすることを考慮した建物となる。
【００５８】
また、隣り合う耐力壁（例えば耐力壁３，３等）の上部間に、該二つの耐力壁の上部どうしを連結する構造材としての連結部材（例えば連結部材６等）が設けられているので、これら耐力壁と連結部材とによって、２階の床や屋根を支持する桁材を確実に支持できる。
また、連結部材の下側に非耐力壁（例えば非耐力壁８等）が設けられているので、この非耐力壁には、２階の床や屋根等から直接荷重が作用しないので、該非耐力壁を容易に取り外すことができる。
【００５９】
さらに、非耐力壁２３，３４の他方の側部と他方の耐力壁３，３０との間が、窓や戸等の枠材を取り付けるための開口部２４，３５となっているので、非耐力壁２３，３４を取り外すことによって、開口部２４，３５を広げて大きな開口部を形成できる。したがって、この大きな開口部に大きな窓や戸等の枠材を取り付けることができる。
加えて、２つの非耐力壁２３，２３（３４，３４）間が、窓や戸等の枠材を取り付けるための開口部２７，３６となっているので、非耐力壁２３，２３（３４，３４）を取り外すことによって、開口部２７，３６を広げて大きな開口部を形成できる。したがって、この大きな開口部に大きな窓や戸等の枠材を取り付けることができる。
例えば、浴室に全幅に対応する部分が、非耐力壁３４，３４および開口部３６を有しているので、この非耐力壁３４，３４を取り外すことによって、開口部３６を広げて大きな開口部を形成できる。したがって、この大きな開口部に浴室用の大きな窓を取り付けることができる。
【００６０】
また、耐力壁（例えば耐力３等）は、構造用壁パネル５によって構成されており、非耐力壁（例えば非耐力壁８等）は、前記構造用壁パネル５以外の壁形成部材（例えば片面壁パネル１５a，１５ｂ等）で構成されており、この壁形成部材が構造用壁パネルに取り外し可能に接合されているので、壁形成部材を構造用壁パネルから取り外すことによって、非耐力壁を外周壁から容易に取り外すことができる。
また、壁形成部材（例えば片面壁パネル１５a等）は前記構造用壁パネル５に、釘やボルト等の抜き出し可能な止着材のみによって連結されているので、釘やボルト等の止着材を抜き出すことによって、壁形成部材を構造用壁パネルから容易に取り外すことができ、その結果、非耐力壁を外周壁から容易に取り外すことができる。
【００６１】
なお、本実施の形態では、耐力壁を構造用壁パネル５によって構成したが、これに限ることなく、耐力壁は、在来の軸組み工法によって構築された耐力壁、ツーバイフォー工法によって構築された耐力壁等、どのような工法によって構築された耐力壁でもよい。
また、本実施の形態では、非耐力壁を、片面壁パネルによって構成したが、これに限ることなく、例えば、合板、樹脂、金属板等で構成してもよい。要は、耐力壁から容易に切り離すことができるものであればよい。
さらに、前記非耐力壁８，１５，２１，２３，２５，３２，３４については、図面にそれらの位置が分るようにして記載しておく。例えば、建物の外周壁を示す図面において、非耐力壁８，１５，２１，２３，２５，３２，３４の位置、形状を示す部分のハッチングを他の外周壁のハッチングと異なるようにしたり、色を異なるようにしておき、このような図面を将来のリフォームに備えて管理、収納しておくよい。
【符号の説明】
【００６２】
１，２  外周壁
３，４，１３，２２，３０，３１
８，１５，２１，２３，２５，３２，３４  非耐力壁
６，９，１６，１９  連結部材
５  構造用壁パネル
８ａ，８ｂ，１５ａ，１５ｂ  片面壁パネル（壁形成部材）
２４，２７，３５，３６  開口部
【図１】
2010216146.tif 000003
【図２】
2010216146.tif 000004
【図３】
2010216146.tif 000005
【図４】
2010216146.tif 000006
【図５】
2010216146.tif 000007
【図６】
2010216146.tif 000008